(57)【要約】【課題】大型化することなく、簡単な構成で、エアフイルタの清掃が簡単にできる空気調和機を提供する。【解決手段】熱交換器（図示せず）に風を送るファン（図示せず）と、略円盤状で前記熱交換器の上流側に配されたエアフィルタ５と、前記エアフィルタ５を回転駆動する駆動手段１４と、前記エアフィルタ５の少なくとも回転中心から外周まで跨ぐように配された吸引ノズル１２と、前記吸引ノズル１２に連通すると共に塵埃を吸引し捕集する吸引ユニット１３を具備し、前記吸引ノズル１２に、前記エアフィルタ５の上流側の面に対向する吸い込み口（図示せず）を設けたもので、エアフィルタ５を取り外すことなく、定期的に前記駆動手段１４と吸引ユニット１３を運転するだけで、エアフィルタ５に堆積された塵埃を除去することができる。【選択図】図２
2005140404.tif 000002
【特許請求の範囲】
【請求項１】
熱交換器と、前記熱交換器に風を送るファンと、略円盤状で前記熱交換器の上流側に配されたエアフィルタと、前記エアフィルタを回転駆動する駆動手段と、前記エアフィルタの少なくとも回転中心から外周まで跨ぐように配された吸引ノズルと、前記吸引ノズルに連通すると共に塵埃を吸引し捕集する吸引ユニットを具備し、前記吸引ノズルに、前記エアフィルタの上流側の面に対向する吸い込み口を設けた空気調和機。
【請求項２】
吸い込み口を複数に分割し、前記複数の吸い込み口を順に開閉する開閉体を設けた請求項１記載の空気調和機。
【請求項３】
吸引ノズルに、吸い込み口を有する吸い込み部と、開閉体を駆動する駆動装置を収納する駆動部とに分割する壁を設け、前記壁に前記開閉体が移動する貫通孔を設けたことを特徴とする請求項２記載の空気調和機。
【請求項４】
開閉体をスライドさせて吸い込み口を開閉するようにするとともに、前記開閉体を閉じる方向に付勢する弾性体と、前記開閉体のそれぞれに対向するピンを周面に突出して設けたシャフトとを備え、前記ピンをエアフィルタの外周側から３６０度を前記吸い込み口の数で割った角度ずつずらせて前記シャフトの周面に配し、前記シャフトを回転させる事により、前記ピンが前記開閉体のそれぞれの一部に順に当接し、前記弾性体の付勢力に抗して前記開閉体を移動させて前記吸い込み口を開き、前記ピンが前記開閉体の一部から外れると前記弾性体により前記開閉体が前記吸い込み口を閉じる位置にもどるにようにしたことを特徴とする請求項２または３記載の空気調和機。
【請求項５】
エアフィルタの外周にリブを設け、シャフトの一端に吸い込み口の数と同じ歯数を有する歯車を設け、前記エアフィルタが一回転するごとに、前記リブが前記歯車の歯に当接して前記シャフトを回転させるようにした請求項４記載の空気調和機。
【請求項６】
複数の吸い込み口のそれぞれをスリット状に形成し、前記吸い込み口を順にちどり足状に配置すると共に、隣り合う吸い込み口を吸引ノズルの長手方向でオーバーラップさせたことを特徴とする請求項２〜５のいずれか一項記載の空気調和機。
【発明の詳細な説明】
【技術分野】
【０００１】
本発明は、空気吸入口にエアフィルタを備えた空気調和機に関するものである。
【背景技術】
【０００２】
従来の空気調和機として、図１０に示されるようなものがあった。図において、空気調和機１の外郭は、筐体７と、筐体７の前部に取り付けられ開口部１ｂを有する前面パネル１ａから構成され、前記開口部１ｂに吸い込みグリル６が着脱自在に設けられている。前記筐体７には、空気の熱交換を行なう熱交換器９と、前記吸い込みグリル６から室内の空気を取り入れ、前記熱交換器９に空気を送り、吹き出し口１９から吹き出すためのファン１０と、前記ファン１０を駆動するファンモータ１１を備えている。
【０００３】
２は、吹き出し口１９から吹き出される空気の向きを変更する風向変更板で、３は、熱交換器９の下方に配置され熱交換器９で生じる凝縮水を受ける水受皿で、５は、ファン１０と吸い込みグリル６との間に配置され、流入する室内空気に含まれる塵埃が空気調和機１の内部に入り込むのを防止するためにその塵埃を捕集するエアフイルターである。４は、前記吸い込みグリル６から流入する室内の空気をファン１１に案内するエアガイダである。８は、筐体７の内壁に設けた断熱材である。
【０００４】
一般に、エアフイルター５は、それに付着し、堆積した塵埃を定期的に清掃する時の便宜を図るため着脱出来るよう構成されている。
【０００５】
上記構成により、空気調和機１を運転すると、ファンモータ１１によりファン１０が回転し、室内の空気が吸い込みグリル６から流入し、その空気に含まれる塵埃はエアフイルター４で捕捉され、綺麗になった空気がエアガイダ４で案内されて、ファン１０に至り、熱交換器９に送られる。熱交換機９で、熱交換された空気は、吹き出し口１９に送られ、風向変更板２の回動角度で決まる方向に吹き出される。
【０００６】
長い間、空気調和機１を使用していると、エアフィルター５が塵埃で目詰まりしてくるので、定期的に清掃しなければならないが、その場合、エアフィルター５を空気調和機１本体から取り外し、ブラシ、水洗い、電気掃除機の吸引ブラシ等で塵埃を取り除くのが一般的であった。
【０００７】
また、エアフィルター５の清掃を容易にする為に、エアフィルターの表面と平行に設けられたレールと、前記レールに沿って移動可能に設けたフィルターブラシを備え、前記フィルターブラシに吸引口と、エアフイルターに当接する回転ブラシを設け、前記吸引口に電気掃除機の吸引ノズルを接続し、レールに沿ってフィルターブラシを移動させて、エアフイルターに付着した塵埃を取り除くようにした空気調和機もある（例えば、特許文献１参照）。
【０００８】
また、駆動軸に張架したベルト状のエアフィルターと、前記エアフィルターの表面に接する回転ブラシを設け、前記駆動軸を回転させてエアフィルターを移動させながら、その表面に堆積した塵埃を回転ブラシを回転させて掻きとるようにした空気調和機もある（例えば、特許文献２参照）。
【特許文献１】特開平１１−２２６３３１号公報
【特許文献２】特開平６−７４５２１号公報
【発明の開示】
【発明が解決しようとする課題】
【０００９】
しかしながら、従来の、エアフィルタを空気調和機本体から取り外し、水洗いもしくは掃除機などで付着した塵埃を掃除する空気調和機の場合は、定期的にその作業を行なわなければならず、特に天井に埋め込まれたタイプの空気調和機の場合は、非常に手間と労力を要していた。
【００１０】
また、フィルターブラシの吸引口に電気掃除機の吸引ノズルを接続し、そのフィルターブラシを移動させて、エアフイルターに付着した塵埃を取り除くようにした空気調和機の場合は、構造が複雑で、しかも電気掃除機の吸引ノズルを天井に向けかつそれをフィルターブラシの吸引口に嵌めた状態でフィルターブラシを移動させなければならないので、大変な労力を必要としていた。
【００１１】
さらに、ベルト状のフィルタを備えた空気調和機も、構造が複雑で、又、ベルト状のフィルタの取り付け部や、吸引装置が大型になるという課題を有していた。
【００１２】
本発明は、前記従来の課題を解決するもので、空気調和機本体を大型化することなく、簡単な構成で、エアフィルタの清掃が簡単にできる空気調和機を提供することを目的とする。
【課題を解決するための手段】
【００１３】
前記従来の課題を解決するために、本発明の空気調和機は、熱交換器と、前記熱交換器に風を送るファンと、略円盤状で前記熱交換器の上流側に配されたエアフィルタと、前記エアフィルタを回転駆動する駆動手段と、前記エアフィルタの少なくとも回転中心から外周まで跨ぐように配された吸引ノズルと、前記吸引ノズルに連通すると共に塵埃を吸引し捕集する吸引ユニットを具備し、前記吸引ノズルに、前記エアフィルタの上流側の面に対向する吸い込み口を設けたもので、エアフィルタを取り外したり、外部掃除機を接続したりすることなく、定期的に前記駆動手段と吸引ユニットを運転するだけで、エアフィルタに堆積された塵埃を除去することができ、また、略円盤状のエアフィルタを回転させるだけなので、本体を薄型に構成することができる。
【発明の効果】
【００１４】
本発明の空気調和機は、大型化することなく、簡単な構成で、エアフイルターの清掃が簡単にできるものである。
【発明を実施するための最良の形態】
【００１５】
第１の発明は、熱交換器と、前記熱交換器に風を送るファンと、略円盤状で前記熱交換器の上流側に配されたエアフィルタと、前記エアフィルタを回転駆動する駆動手段と、前記エアフィルタの少なくとも回転中心から外周まで跨ぐように配された吸引ノズルと、前記吸引ノズルに連通すると共に塵埃を吸引し捕集する吸引ユニットを具備し、前記吸引ノズルに、前記エアフィルタの上流側の面に対向する吸い込み口を設けたもので、エアフィルタを取り外したり、外部掃除機を接続したりすることなく、定期的に前記駆動手段と吸引ユニットを運転するだけで、エアフィルタに堆積された塵埃を除去することができ、また、略円盤状のエアフィルタを回転させるだけなので、本体を薄型に構成することができる。
【００１６】
第２の発明は、特に、第１の発明の吸い込み口を複数に分割し、前記複数の吸い込み口を順に開閉する開閉体を設けたもので、個々の吸い込み口の開口面積が小さくなる事により、吸引ユニットの吸引力は小さいのものでもよいので、その分、吸引ユニットの小型化が図れる。
【００１７】
第３の発明は、特に、第２の発明の吸引ノズルを、吸い込み口を有する吸い込み部と、開閉体を駆動する駆動装置を収納する駆動部とに分割する壁を設け、前記壁に前記開閉体が移動する貫通孔を設けたもので、吸い込み口より吸い込まれた塵埃が開閉体の駆動部を通過することなく吸引ユニットで集塵されるので、塵埃によって駆動装置が汚れたり、故障の原因となるのを防止することが出来る。
【００１８】
第４の発明は、特に、第２または第３の発明の開閉体をスライドさせて吸い込み口を開閉するようにするとともに、前記開閉体を閉じる方向に付勢する弾性体と、前記開閉体のそれぞれに対向するピンを周面に突出して設けたシャフトとを備え、前記ピンをエアフィルタの外周側から３６０度を前記吸い込み口の数で割った角度ずつずらせて前記シャフトの周面に配し、前記シャフトを回転させる事により、前記ピンが前記開閉体のそれぞれの一部に順に当接し、前記弾性体の付勢力に抗して前記開閉体を移動させて前記吸い込み口を開き、前記ピンが前記開閉体の一部から外れると前記弾性体により前記開閉体が前記吸い込み口を閉じる位置にもどるにようにしたもので、一本のシャフトを回転させるだけで複数の吸い込み口の開閉ができるので、構成が簡単で故障が少なく、また、薄型化が可能になる。
【００１９】
第５の発明は、特に、第４の発明のエアフィルタの外周にリブを設け、シャフトの一端に吸い込み口の数と同じ歯数を有する歯車を設け、前記エアフィルタが一回転するごとに、前記リブが前記歯車の歯に当接して前記シャフトを回転させるようにしたもので、エアフィルタの回転力を利用して、前記シャフトを回転させるので、シャフトを回転駆動するための専用の駆動部品が不要なので、構成、制御が簡略化されるものである。
【００２０】
第６の発明は、特に第１〜５のいずれかひとつの発明の複数の吸い込み口のそれぞれをスリット状に形成し、前記吸い込み口を順にちどり足状に配置すると共に、隣り合う吸い込み口を吸引ノズルの長手方向でオーバーラップさせたもので、エアフィルタ面上で、隣り合う吸い込み口間の塵埃を取り残すことなく確実に吸引することが出来る。
【００２１】
以下、本発明の実施の形態について、図面を参照しながら説明する。なお、本実施の形態によって本発明が限定されるものではない。
【００２２】
（実施の形態１）
図１は本発明の第１の実施の形態における空気調和機の断面図、図２は、同空気調和機の要部分解斜視図、図３は同空気調和機の吸引ノズルの分解斜視図、図４は同吸引ノズルの部分断面図、図５は同吸引ノズルの平面図、図６、図７は同吸引ノズルの平板の駆動部を示す断面図、図８は、同空気調和機のシャフトの駆動部を示す側面図、図９は同吸引ノズルの平面図である。なお、従来例と同一部分については、同一符号を付してその構成、動作、作用についての説明を省略する。
【００２３】
エアフィルタ５は、図２に示すように、円盤状に形成されると共に、トレイ１６上に設けられ、そのエアフィルタ５のフレーム５ｃの外周部に歯車５ａが形成され、トレイ１６には、前記歯車５ａに噛み合う歯車１４ａを固着した回転軸（図示せず）を有する駆動手段１４が取りつけられ、前記駆動手段１４を動作させることにより、エアフィルタ５が一方向に回転するようになっている。
【００２４】
１２は、吸引ノズルで、エアフィルタ５の上流側の面に向かって開口するスリット状の吸込み口１２ａ、１２ｂ、１２ｃ、１２ｄを備え、エアフィルタ５の前面側に対峙するよう配置されダクト１８の一端に回転自在に嵌めこまれている。スリット状の吸い込み口１２ａ、１２ｂ、１２ｃ、１２ｄはエアフィルタ５の半径に相当する部分にあり、複数のスリットに分割され吸引ノズル１２の長手方向に平行でかつ縦列に並んでいる。本実施の形
態では分割数を４としてエアフィルタ５の中心から外周に向かってそれぞれ１２ａ、１２ｂ、１２ｃ、１２ｄとして説明する。
【００２５】
１３は、一端に吸引ノズル１２が接続されたダクト１８の他端に接続される吸引ユニットで、吸引用のファン（図示せず）と、ファンで吸引される塵埃を捕集するためのフイルタユニット（図示せず）が内蔵され、そのファンを動作させることにより、エアフィルタ５に付着した塵埃は吸引ノズル１２の吸い込み口１２ａ、１２ｂ、１２ｃ、１２ｄで吸引され、ダクト１８を通過し、吸引ユニット１３内のフイルターユニットで捕集される。
【００２６】
この時、エアフィルタ５が一回転するごとに、吸い込み口１２ａから１２ｄまで順次切り替わり、本実施例ではエアフィルタ５が４回転することにより、エアフィルタ５の全面を掃除することが出来る。
【００２７】
次に、図３、４、５にて吸い込みノズル１２の構造について説明する。
【００２８】
吸引ノズル１２は、上ケース１２ｍと下ケース１２ｎからなり、吸い込み口１２ａ、１２ｂ、１２ｃ、１２ｄを有する吸い込み部１２ｐと、吸い込み口１２ａ、１２ｂ、１２ｃ、１２ｄのそれぞれを開閉する開閉体となる複数の平板２０と、平板２０を開閉駆動するシャフト２１を収納する駆動部１２ｑに分割されており、吸い込み部１２ｐは吸引ユニット１３に連通している。
【００２９】
吸引ノズル１２を、吸い込み部１２ｐと駆動部１２ｑとに分割する壁１２ｅの下部には、平板２０がスライドする貫通孔１２ｆを有している。平板２０は吸い込み口１２ａ、１２ｂ、１２ｃ、１２ｄの長さより若干長い寸法の幅を有し、貫通孔１２ｆの開口面積とほぼ同じ断面を持つ板状のもので、駆動部２ｑ側より貫通孔１２ｆに挿入され、さらに平板２０と吸い込みノズル１２にそれぞれ設けたフック１２ｇ、２０ａ間にスプリング１５が張架され、ガイダー１２ｈ、１２ｉをガイドにスライド可能に設けられ、通常は、スプリング１５の付勢力により、平板２０が奥のほうに入り込み、吸い込み口１２ａ、１２ｂ、１２ｃ、１２ｄを閉じている。
【００３０】
一方、駆動部１２ｑには各平板２０を駆動するためのシャフト２１が収納されている。シャフト２１は長さが吸引ノズル１２の長さとほぼ同じで、かつ吸い込み口１２ａ、１２ｂ、１２ｃ、１２ｄに対向するそれぞれの位置に、一対のピン２１ａを有しており、各一対のピン２１ａの取り付け角度はそれぞれ９０度だけずれている。角度のずれは３６０度を吸い込み口１２ａ、１２ｂ、１２ｃ、１２ｄの数、すなわち本実施の形態では、４で割った角度９０度づつずれている。
【００３１】
図６に示すようにシャフト２１が時計方向に回転すると、シャフト２１上で一番外側にあるピン２１ａが平板２０に設けたリブ２０ｂを押し、スプリング１５の張力に抗して平板２０が矢印方向にスライドし吸い込み口１２ａを開く。更にシャフト２１が回転するとシャフト２１のピン２１ａが吸い込み口１２ａを開けた平板２０のリブ２０ｂを乗り越え、図７に示すように平板２０は、スプリング１５の復帰力にて引っ張られ吸い込み口１２ａを閉じる。同時に、９０度角度がずれ外側から２番目のピン２１ａが、外側から２番目の平板２０をスライドさせ吸込み口１２ｂを開ける。このようにシャフト２１が９０度回転するごとに平板２０を順次スライドし吸込み口１２ａ、１２ｂ、１２ｃ、１２ｄを順次開閉する。
【００３２】
シャフト２１の回転は、シャフト２１の一端にステッピングモータ（図示せず）を取りつけておこなうことも出来るが、本実施の形態では、シャフト２１の一端に歯車２１ｂを固着し、エアフィルタ５の外周にひとつのリブ５ｂを設け、エアフィルタ５が一回転する
毎にリブ５ｂが歯車２１ｂを９０度回転させ、平板２０の移動を行うようにしている。シャフト２１の歯車２１ｂの歯数は、吸引ノズル１２の吸い込み口１２ａ、１２ｂ、１２ｃ、１２ｄの数と同じで４枚である。なお、歯車２１ｂには板バネ１７を接触させて、シャフト２１を確実に９０度回転した所で位置を決めるようにしている。
【００３３】
図５に示すように、吸引ノズル１２の吸い込み口１２ａ、１２ｂ、１２ｃ、１２ｄは吸引ノズル１２の長手方向に平行に縦列に並んでいるが、これでは吸引力が弱い時には吸い込み口１２ａ、１２ｂ、１２ｃ、１２ｄの隣り合う二つの吸い込み口の間に吸引力が十分働かずその部分での塵埃の取り残しが生じる場合がある。これを防止するため、図９に示すように、４つの吸い込み口１２ａ、１２ｂ、１２ｃ、１２ｄをちどり足状に配置し、かつそれぞれの開口長さを長手方向でオーバーラップさせるようにすれば、塵埃の取り残しを防止することが出来る。
【００３４】
また、エアフィルタが定期的にメンテナンスされなかった場合、エアフィルタに塵埃が堆積し吸込み空気の通気抵抗が増大するため、空気調和機の性能が低下し、消費電力が増大するという問題があるが、本実施の形態における駆動手段１４と、吸引ユニット１３にタイマーを接続しておけば、定期的にかつ自動的にエアフィルタが清掃されるので、上記のような問題も解決することができる。
【産業上の利用可能性】
【００３５】
以上のように、本発明にかかる空気調和機は、大型化することなく、簡単な構成で、エアフイルタの清掃が簡単にできるもので、エアフィルタを有する各種空気調和機、空気清浄機、送風機器に広く適用できるものである。
【図面の簡単な説明】
【００３６】
【図１】本発明の第１の実施の形態における空気調和機の断面図
【図２】同空気調和機の要部分解斜視図
【図３】同空気調和機の吸引ノズルの分解斜視図
【図４】同吸引ノズルの部分断面図
【図５】同吸引ノズルの平面図
【図６】同吸引ノズルの平板の駆動部を示す断面図
【図７】同吸引ノズルの平板の駆動部を示す断面図
【図８】同空気調和機のシャフトの駆動部を示す側面図
【図９】同吸引ノズルの平面図
【図１０】従来の空気調和機を示す断面図
【符号の説明】
【００３７】
１    空気調和機
１ａ  前面グリル
５    エアフィルタ
５ａ  歯車
６    吸い込みグリル
９    熱交換器
１０  ファン
１１  ファンモータ
１２  吸引ノズル
１２ａ〜１２ｄ  吸い込み口
１３  吸引ユニット
１４  駆動手段
２０  平板（開閉体）
２１  シャフト
【図１】
2005140404.tif 000003
【図２】
2005140404.tif 000004
【図３】
2005140404.tif 000005
【図４】
2005140404.tif 000006
【図５】
2005140404.tif 000007
【図６】
2005140404.tif 000008
【図７】
2005140404.tif 000009
【図８】
2005140404.tif 000010
【図９】
2005140404.tif 000011
【図１０】
2005140404.tif 000012